(57)【要約】【課題】多段連続重合プロセスにおいて、プロピレンブロック共重合体を製造するにあたって、重合プロセスで生成するポリマー組成値を迅速に得、該ポリマー組成値を目標値に制御する方法、および連続にて銘柄移行を行なう際に銘柄移行の完了時点を判断するにあたって、後銘柄への組成変更完了を確認するのに優れるという特徴を有する銘柄移行方法を提供する。【解決手段】プロピレンブロック共重合体の銘柄移行方法であって、重合プロセスの運転データの平均値を用いて物質収支の計算を行い、該計算結果としてプロピレンブロック共重合体のポリマー組成値を得、銘柄移行時に該ポリマー組成値をもって、銘柄移行完了時点を判断する重合プロセスの銘柄移行方法。【選択図】  なし【特許請求の範囲】
【請求項１】
プロピレンブロック共重合体の銘柄移行方法であって、重合プロセスの運転データの平均値を用いて物質収支の計算を行い、該計算結果としてプロピレンブロック共重合体のポリマー組成値を得、銘柄移行時に該ポリマー組成値をもって、銘柄移行完了時点を判断する重合プロセスの銘柄移行方法。
【請求項２】
重合プロセスは、プロピレンブロック共重合体を製造するための多段連続重合プロセスである請求項１に記載の銘柄移行方法。
【請求項３】
物質収支の計算は、コンピューターによって実行されることを特徴とする請求項１記載の銘柄移行方法。
【請求項４】
請求項１より得られる該ポリマー組成値を目標値に制御するポリマー組成の制御方法。
【請求項５】
重合プロセスは、プロピレンブロック共重合体を製造するための多段連続重合プロセスである請求項４に記載の制御方法。
【請求項６】
物質収支の計算は、コンピューターによって実行されることを特徴とする請求項４に記載の制御方法。
【発明の詳細な説明】
【０００１】
【発明の属する技術分野】
本発明は、プロピレンブロック共重合体の組成制御および銘柄移行方法に関するものである。更に詳しくは、本発明は、プロピレンブロック共重合体の多段連続重合プロセスで、プロピレンブロック共重合体のポリマー組成を目標値に制御する方法、および連続にて銘柄移行を行なう際に銘柄移行の完了時点を判断する方法であって、後銘柄への組成変更完了を確認するのに優れるという特徴を有するプロピレンブロック共重合体の組成制御および銘柄移行方法に関するものである。
【０００２】
【従来の技術】
多段連続重合プロセスで、プロピレンブロック共重合体を製造する方法は、広く知られている。該重合プロセスにおいて、種々の異なる銘柄のポリマーが製造されるのが一般的である。この場合、ある銘柄の目標組成にポリマー組成を制御するには、重合槽等からポリマーを抜出し、組成分析を実施し確認するのが一般的であるが、分析結果を制御因子に折り返すまでに時間的な遅れが生じる。
【０００３】
ある銘柄から次の銘柄への移行を実施する場合も同様に組成分析による確認を行うのが一般的である。銘柄移行の方法として、たとえば特許文献１には、ファジー制御にて銘柄移行をする方法が開示されている。
【０００４】
しかしながら、特にプロピレンブロック共重合体の連続重合プロセスにおいて、従来の銘柄移行方法においては、連続にて銘柄移行を行なう際に銘柄移行の完了時点を判断するにあたって、後銘柄への組成変更完了を確認するという点において十分ではなかった。
【０００５】
【特許文献１】
特開平８−１２７６０２号公報
【０００６】
【発明が解決しようとする課題】
かかる現状において、本発明が解決しようとする課題は、多段連続重合プロセスにおいて、プロピレンブロック共重合体を製造するにあたって、重合プロセスで生成するポリマー組成値を迅速に得、該ポリマー組成値を目標値に制御する方法、および連続にて銘柄移行を行なう際に銘柄移行の完了時点を判断するにあたって、後銘柄への組成変更完了を確認するのに優れるという特徴を有する銘柄移行方法を提供する点にある。
【０００７】
【課題を解決するための手段】
すなわち、本発明は、プロピレンブロック共重合体の多段連続重合プロセスにおけるポリマー組成制御方法および銘柄移行方法であって、プロセスの運転データの平均値を用いて物質収支の計算を行い、該計算結果としてプロピレンブロック共重合体のポリマー組成値を得、該ポリマー組成値を目標値に制御する方法、および銘柄移行時に該ポリマー組成値をもって、銘柄移行完了時点を判断する重合プロセスの銘柄移行方法。に基いて銘柄移行の完了時点を判断する重合プロセスの銘柄移行方法に係るものである。
【０００８】
【発明の実施の形態】
本発明が対象とする重合プロセスは、プロピレンブロック共重合体の連続重合プロセスであり、前段でプロピレンの結晶性重合体または共重合体を製造し、後段で該重合体または共重合体の存在下、プロピレンと他のα−オレフィンを共重合させ、ゴム状共重合体を製造する多段連続重合プロセスである。前段、後段とも各１基以上の重合槽を直列に接続し、前段第１槽に触媒を投入し順次重合反応を進めていく。プロセスの例としては、有機溶媒下での重合である溶媒重合法、液化プロピレン下の重合であるバルク重合法、プロピレン等の気体下での重合である気相重合法等をあげることができる。
【０００９】
本発明のポリマー組成制御方法は、前記前段、後段各重合槽の運転データの平均値を用いて物質収支の計算を行い、該計算結果としてプロピレンブロック共重合体のポリマー組成値を得、該ポリマー組成値を目標値に制御することを特徴とする。前記運転データは、各重合槽内の温度、圧力、保有量、各重合槽へのフィードモノマー量等であり、該運転データを用いて物質収支の計算を行い、各重合槽で生成するポリマー量およびポリマー組成を算出することにより最終重合槽出口でのポリマー組成を得る。
【００１０】
本発明の移行方法は、重合プロセスの運転データの平均値を用いて物質収支の計算を行い、該計算結果に基いて銘柄移行の完了時点を判断することを特徴とする。
【００１１】
銘柄移行の例としては、プロピレンブロック共重合体銘柄Ａからプロピレンブロック共重合体銘柄Ｂへの移行をあげることができる。プロピレンブロック共重合体Ａからプロピレンブロック共重合体Ｂへ移行する際、重合プロセスの運転データの平均値を用いて物質収支の計算を行い、重合部での後銘柄Ｂへの組成変更完了時点を確認する。次に、後工程での系内保有量の置換を考慮したのち、銘柄の仕切りを行い、後銘柄Ｂへの移行を行なう。
【００１２】
上記の方法とすることにより、前記の本発明が解決しようとする課題を解決することができるのである。
【００１３】
【実施例】
次に、実施例により本発明を説明する。
実施例１
プロピレンブロック共重合体の連続重合プロセスであり、前段重合槽３槽でプロピレンの結晶性重合体を製造し、後段重合槽３槽で該重合体または共重合体の存在下、プロピレンとエチレンを共重合させ、ゴム状共重合体を製造する溶媒重合法の多段連続重合プロセスにおいて、前段第１槽に触媒を投入し順次重合反応を進めていく。各重合槽内の温度、圧力、保有量、各重合槽へのフィードモノマー量等の運転データの１時間平均値を用いて物質収支の計算を行い、各重合槽で生成するポリマー量およびポリマー組成を算出することにより最終重合槽出口でのポリマー組成を得た。同時に各重合槽へのモノマーフィード量等を変更した場合のポリマー組成に与える影響度を運転者への指標として表示させた。同様に、直近のポリマー組成の経時変化をグラフ表示させた。
該重合プロセスにおいて、プロピレンブロック共重合体Ａからプロピレンブロック共重合体Ｂへ移行する際、プロセスの運転データの平均値を用いて物質収支の計算を行い、重合部での後銘柄Ｂへの組成変更完了時点を確認する。次に、後工程での系内保有量の置換を考慮したのち、銘柄の仕切りを行い、後銘柄Ｂへの移行を行なった。
【００１４】
【発明の効果】
以上説明したとおり、本発明により、多段連続重合プロセスにおいて、プロピレンブロック共重合体を製造するにあたって、重合プロセスで生成するポリマー組成値を迅速に得、該ポリマー組成値を目標値に制御する方法、および連続にて銘柄移行を行なう際に銘柄移行の完了時点を判断するにあたって、後銘柄への組成変更完了を確認するのに優れるという特徴を有する銘柄移行方法を提供することができた。